(57)【要約】      （修正有）【課題】建築現場などに容易に搬入して簡便に塗料やコーティング材の撹拌ができる携帯型撹拌機を提供する。【解決手段】携帯型撹拌機は、直流電流で駆動される直流モータ１１と直流のモータのモータ軸に連結された減速機１４をケーシング１２内に収容した電動モータ部１０と、減速機の出力軸の先端に取り付けられたチャック１７と、チャックに着脱可能に挟持される回転軸２と、回転軸の先端に固定または着脱可能に取り付けられる撹拌翼４とを備える。電動モータ部１０には、直流電源として充電可能な蓄電池９が取り付けられ、その直流電流により直流モータが駆動される。【選択図】図１
0003192356.tif 000002
【実用新案登録請求の範囲】
【請求項１】
直流電流で駆動される直流モータ及び該直流モータのモータ軸に連結された減速機をケーシング内に収容した電動モータ部と、
該減速機の出力軸の先端に取り付けられたチャックと、
該チャックに着脱可能に挟持される回転軸と、
該回転軸の先端に固定または着脱可能に取り付けられる撹拌翼と、
を備えた携帯型撹拌機であって、
該電動モータ部には、直流電源として充電可能な蓄電池が取り付けられ、該蓄電池の直流電流により該直流モータが駆動されて該撹拌翼が回転駆動されることを特徴とする携帯型撹拌機。
【請求項２】
前記回転軸の末端部には、断面を円形とし外周面になし地を付した円柱シャンク部が設けられたことを特徴とする請求項１記載の携帯型撹拌機。
【請求項３】
前記回転軸の末端部には、断面を六角形とする六角シャンク部が設けられたことを特徴とする請求項１記載の携帯型撹拌機。
【考案の詳細な説明】
【技術分野】
【０００１】
本考案は、建築現場などにおいて、建築用塗料、コーティング材などを撹拌するために使用される携帯型撹拌機に関する。
【背景技術】
【０００２】
建築現場などにおいて使用される建築用塗料やコーティング材は、容器に入れて現場に搬入されるが、容器の底部で塗料、コーティング材の粘度が高くなるため、使用する直前に、現場で撹拌する必要がある。このために、電動モータにより撹拌翼を回転駆動する構造の携帯型撹拌機が、建築現場などにおいて使用されている（下記特許文献１を参照）。
【先行技術文献】
【特許文献】
【０００３】
【特許文献１】実公平５−４１７７６号公報
【考案の概要】
【考案が解決しようとする課題】
【０００４】
しかし、従来のこの種の携帯型撹拌機は、電動モータの出力軸の先端に、長尺の回転軸が固定され、回転軸の先端に撹拌翼が固定され、電動モータから撹拌翼まで一体構造となっている。このため、建築用塗料、コーティング材を扱う作業者は、建築現場まで、建築用塗料やコーティング材の容器とともに、一体構造の携帯型撹拌機を搬入する必要がある。
【０００５】
さらに、塗装作業やコーティング材の塗布作業の終了時には、それらを建築現場より搬出する必要があり、このような一体構造の携帯型撹拌機は携帯しにくく、その搬入作業や搬出作業は非常に煩雑であった。
【０００６】
また、従来のこの種の携帯型撹拌機は、交流電源（商用電源）を電源とする電動モータを使用しているため、建築現場において携帯型撹拌機を使用する場合、交流電源が必須の条件となる。
【０００７】
しかしながら、塗装やコーティング材を塗布する箇所の近傍に、交流電源がない場合、長い電源ケーブルを延ばして交流電源を取る必要があったり、近傍に交流電源があったとしても、他の電動機器が既に使用されていたり、交流電源の許容電流の不足のために、撹拌機を使用できない場合があった。
【０００８】
本考案は、上述の課題を解決するものであり、建築現場などに容易に搬入して簡便に使用することができる携帯型撹拌機を提供することを目的とする。
【課題を解決するための手段】
【０００９】
本考案に係る携帯型撹拌機は、直流電流で駆動される直流モータと該直流モータのモータ軸に連結された減速機をケーシング内に収容した電動モータ部と、該減速機の出力軸の先端に取り付けられたチャックと、該チャックに着脱可能に挟持される回転軸と、該回転軸の先端に固定または着脱可能に取り付けられる撹拌翼とを備えた携帯型撹拌機であって、該電動モータ部には、直流電源として充電可能な蓄電池が取り付けられ、該蓄電池の直流電流により該直流モータが駆動されて該撹拌翼が回転駆動されることを特徴とする。
【００１０】
この考案の携帯型撹拌機によれば、現場の作業者は、電動モータ部、回転軸、撹拌翼を分解し、１つのケースなどにコンパクトに収納した状態で、建築現場まで簡便に搬入することができる。また、作業終了時にも、１つのケースなどにコンパクトに収納した状態で、撹拌機を搬出することができる。
【００１１】
さらに、携帯型撹拌機の直流モータは付属する蓄電池を電源として駆動されるので、交流電源は不要となり、電源ケーブルを延ばして交流電源に接続する必要がなく、建築現場などに交流電源がない場合でも、撹拌機を簡便に使用することができる。
【００１２】
ここで、上記回転軸の末端部には、断面を円形とし且つ外周面になし地を付した円柱シャンク部を設けることが好ましい。これによれば、既存の電動ドライバードリルのように、電動モータの出力軸の先端にスリーブタイプのチャックが付属する場合、スリーブを回してチャックを締め付け、簡便に回転軸をその電動ドライバードリルのチャックに取り付けることができる。
【００１３】
またここで、上記回転軸の末端部には、断面を六角形とする六角シャンク部を設けることができる。この場合、既存の電動ドライバードリルのように、電動モータ部の出力軸の先端にキーレスタイプのドリルチャックが取り付けられている場合、簡便に回転軸の末端部の円柱シャンク部をドリルチャックの挿入孔に挿入し、スリーブをばね力により摺動させて、簡便に取り付けることができる。
【考案の効果】
【００１４】
本考案の携帯型撹拌機によれば、建築現場などに容易に搬入して簡便に使用することができる。
【図面の簡単な説明】
【００１５】
【図１】本考案の一実施形態を示す携帯型撹拌機の右側面図である。
【図２】回転軸のシャンク部の部分拡大斜視図である。
【図３】携帯型撹拌機の使用状態を示す説明図である。
【図４】他の実施形態の携帯型撹拌機の右側面図である。
【図５】その回転軸のシャンク部の部分拡大斜視図である。
【考案を実施するための形態】
【００１６】
以下、本考案の一実施形態を図面に基づいて説明する。携帯型撹拌機１は、建築現場などにおいて、建築用塗料、コーティング材などを撹拌するために使用される携帯型の撹拌機である。図１に示すように、携帯型撹拌機１は、直流電流で駆動される直流モータ１１及び直流モータ１１のモータ軸に連結された減速機１４をケーシング１２内に収容した電動モータ部１０と、減速機１４の出力軸１５の先端に取り付けられたチャック１７と、チャック１７に着脱可能に挟持される回転軸２と、回転軸２の先端に着脱可能に取り付けられる撹拌翼４と、を備えている。
【００１７】
電動モータ部１０は、図１に示す如く、そのケーシング１２の全体が、把持部１３を有した略短銃型に形成され、ケーシング１２の先端に回転部７が回転駆動可能に設けられる。回転部７の内部には、チャック１７が設けられ、チャック１７の外側にスリーブ１８が回転可能にねじ部を介して外嵌され、スリーブ１８を回してチャック１７を軸方向に移動させ、チャック１７内に挿入された回転軸２をチャック１７により挟持する構造である。チャック１７には、軸芯位置の挿入孔の周囲に３個の爪が移動可能に配設され、挿入孔に差し込まれた回転軸２の末端部を３個の爪により挟持する。
【００１８】
電動モータ部１０内には、図１に示すように、直流モータ１１と減速機１４が配設され、直流モータ１１により減速機１４を介して回転部７を回転駆動するようになっている。つまり、回転部７は、減速機１４の出力軸１５に取り付けられ、減速機１４の入力側に、直流モータ１１のモータ軸が連結され、直流モータ１１により減速機１４を介して、チャック１７とスリーブ１８を含む回転部７が回転駆動される。
【００１９】
なお、この電動モータ部１０には、回転部７に隣接してクラッチダイヤル１９が設けられ、クラッチダイヤル１９を回して回転部７のトルクを調整可能としている。つまり、回転部７の回転負荷が設定値より増大した場合、クラッチが動作して出力軸１５滑り回転し、直流モータ１１の回転に関らず回転部７が停止する構造である。クラッチダイヤル１９及びクラッチ機構は、電動モータ部１０の必須構成要素とはなっていない。
【００２０】
減速機１４は、複数の歯車を噛み合わせて構成され、直流モータ１１の回転数を減速して出力軸１５に伝達する構造である。また、減速機１４には、機械的に回転部７の回転方向を、切替レバーの操作により、正逆に切り換える回転方向切替器が設けられている。
【００２１】
ケーシング１２の把持部１３の上部、トリガー位置には、直流モータ１１のオンオフを行なうスイッチ１６が設けられ、スイッチ１６を操作して回転部７を起動または停止させる。また、スイッチ１６は、直流モータ１１の駆動回路に接続され、駆動回路に可変抵抗器などの回転数制御回路が設けられている場合、スイッチ１６は、オンオフ動作とともに、回転数制御回路の可変抵抗器等を動かし、回転数の調整を行なうようになっている。
【００２２】
直流モータ１１に直流電力を供給する直流電源として、リチュームイオンバッテリィなどからなる蓄電池９が、把持部１３の下部に取り付けられる。蓄電池９は、電動モータ部１０の把持部１３に対し着脱可能に取り付けられ、把持部１３から外された蓄電池９は、図示しない充電器を通して、商用電源などから充電することができる。図１を参照して上述したように、携帯型撹拌機１の電動モータ部１０は、その全体構造が、既存の電動ドライバードリルと類似する構造を持つものであり、既存の電動ドライバードリルを電動モータ部１０としてそのまま使用することができる。これにより、携帯型撹拌機１を非常に安価に製造することができ、ユーザーは手軽に使用することができる。
【００２３】
携帯型撹拌機１の撹拌を行う撹拌翼４の回転軸２は、その末端の円柱シャンク部２ａが上記のように、回転部７のチャック１７内の挿入孔内に挿入され、回転部７のスリーブ１８を回して取り付けられる。スリーブ１８を回すことにより、３個の爪が軸方向に移動して、その挿入孔内の爪の内側縁部が内側に移動し、これにより、３個の爪が円柱シャンク部２ａの外周部を３方向から強力に挟持し、回転軸２の円柱シャンク部２ａを保持する。
【００２４】
この円柱シャンク部２ａの外周面には、図２に示すように、なし地加工（粗面加工）が施される。このなし地（粗地）が円柱シャンク部２ａに付されることにより、撹拌翼４に回転負荷がかかった場合でも、チャック１７は、回転部７の回転力を、滑らずに、確実に回転軸２の円柱シャンク部２ａに伝達できるようになっている。
【００２５】
撹拌翼４は、図１に示すように、円板状に形成され、円板の外周部に折り曲げ片を、２方向に交互に折り曲げて形成される。撹拌翼４の中央部には、ねじ穴が形成され、回転軸２の先端に設けたおねじ部をねじ穴にねじ込んで、撹拌翼４を回転軸２の先端部に取り付ける構造となっている。なお、撹拌翼４は円板状のほか、ファン形、円形リボン形など各種の形状の撹拌翼を使用することができる。
【００２６】
上記構成の携帯型撹拌機１は、図３に示すように、建築現場などにおいて、容器Ｂに入れた建築用塗料やコーティング材を撹拌するために使用される。携帯型撹拌機１を建築現場などに搬入する場合、その電動モータ部１０のスリーブ１８を回してチャック１７を緩め、チャック１７から回転軸２を外し、回転軸２からは撹拌翼４を取り外し、電動モータ部１０、回転軸２、撹拌翼４をコンパクトなキャリーケースなどに収容して搬入する。このため、作業者の数が少人数であっても、同時に現場に搬入する建築用塗料やコーティング材の容器とともに携帯型撹拌機１をそのケースごと簡便に搬入することができる。
【００２７】
そして、現場において塗料やコーティング材を撹拌する際、携帯型撹拌機１を使用する場合には、ケースから電動モータ部１０、回転軸２、撹拌翼４を取り出し、組み付けて使用するが、回転軸２と撹拌翼４は、回転軸２の先端のおねじ部を撹拌翼４の中心のねじ穴にねじ込み、回転軸２の末端の円柱シャンク部２ａは、電動モータ部１０の回転部７のチャック１７内に差し込み、スリーブ１８を回してチャック１７を挟持方向に移動させ、回転部７のチャック１７に回転軸２の円柱シャンク部２ａを挟持させる。このような簡単な組み付け作業のみで、携帯型撹拌機１を使用可能な状態に組み立てることができる。
【００２８】
そして、容器Ｂに入れられた塗料やコーティング材内に撹拌翼４を挿入し、電動モータ部１０のスイッチ１６をオンすれば、蓄電池９から直流電力が直流モータ１１に供給されてモータが回転し、その回転力が減速機１４を介して回転部７のチャック１７から撹拌翼４に伝達され、撹拌翼４の回転により塗料やコーティング材が撹拌される。
【００２９】
そして、塗装やコーティング材の塗布作業を終了して、工具などを搬出する際には、上記の工程とは逆にスリーブ１８を緩めれば、チャック１７の挟持がはずれ、回転軸２と撹拌翼４とを外して、キャリーケースなどに収納すれば、撹拌機を簡単且つ容易に現場から搬出することができる。
【００３０】
このように、電動モータ部１０の直流モータ１１は、蓄電池９の直流電力を電源として回転駆動されるので、交流電源は不要となり、電源ケーブルを延ばして交流電源に接続する必要がなく、建築現場などに交流電源がない場合でも、撹拌機を簡便に使用することができる。また、撹拌機の回転軸２や撹拌翼４を取り外して、容易に撹拌機を現場に搬入し搬出することができる。
【００３１】
図４、図５は他の実施形態の携帯型撹拌機１Ａを示している。この携帯型撹拌機１Ａでは、図５に示すように、小型の撹拌翼５の回転軸３の末端に、断面を六角形とする六角シャンク部３ａが形成され、この六角シャンク部３ａを、電動モータ部２０の回転部８のチャック２７内に挿入し、簡便に挟持可能としている。なお、上記実施形態の携帯型撹拌機１と同様な構成については、図４、５に上記と同じ符号を付して、その説明を省略する。
【００３２】
電動モータ部２０の回転部８には、キーレスタイプのチャック２７が取り付けられる。キーレスタイプのチャック２７は、その外周部のスリーブ２８を軸方向に僅かに摺動させるのみで、回転軸３の六角シャンク部３ａを挟持できるように構成される。つまり、スリーブ２８は、回転せずに、ばね力に抗して回転部８の先端方向に摺動可能となっている。スリーブ２８をばね力に抗して回転部８先端方向に摺動させると、チャック２７の挟持が緩み、その状態で、回転軸３の六角シャンク部３ａをチャック２７内に差し込み可能となる。
【００３３】
回転軸３を回転部８に挟持させる場合、先ずスリーブ２８をばね力に抗して回転部８の先端方向に摺動させ、その状態で、回転軸３の六角シャンク部３ａをチャック２７内に差し込み、次にスリーブ２８を離すと、スリーブ２８がばね力により、回転部８の末端側に摺動し、それにより、チャック２７が回転軸３の六角シャンク部３ａを挟持する。よって、スリーブを回してチャックを締め付けることなく、簡単に回転軸３の六角シャンク部３ａをチャック２７内に挟持させることができる。
【００３４】
図４に示すように、回転軸３の先端には、円形リボン型で小型の撹拌翼５が固定される。この撹拌翼５は、比較的小型に形成されるため、回転軸３の先端部に固定される構造であるが、上記円板状の撹拌翼４と同様にねじで着脱可能な構造とすることもできる。
【００３５】
この携帯型撹拌機１Ａは、上記と同様、建築現場などにおいて、容器に入れた建築用塗料やコーティング材を撹拌するために使用される。携帯型撹拌機１Ａを建築現場などに搬入する場合、撹拌翼５付きの回転軸３、電動モータ部２０をコンパクトなキャリーケースなどに収容して搬入する。
【００３６】
そして、現場で携帯型撹拌機１Ａを使用する場合、電動モータ部２０のスリーブ２８を先端側に僅かに摺動させた状態で、回転軸３の六角シャンク部３ａを、チャック２７内に差し込み、スリーブ２８をフリーにすると、スリーブ２８がばね力により軸方向に摺動して元の位置に戻る。これにより、スリーブ２８がチャック２７を内側の挟持側に移動させ、回転軸３の六角シャンク部３ａがチャック２７の３個の爪により挟持される。このように、簡単な操作で、電動モータ部２０のチャック２７に撹拌翼５の回転軸３を挟持させて組み付けることができる。
【００３７】
そして、上記と同様に、容器に入れられた塗料やコーティング材内に撹拌翼５を挿入し、電動モータ部２０のスイッチ１６をオンすれば、蓄電池９から直流電力が直流モータ１１に供給されてモータが回転し、その回転力が減速機１４を介して回転部８のチャック２７から回転軸３と撹拌翼５に伝達され、撹拌翼５の回転により塗料やコーティング材が撹拌される。
【符号の説明】
【００３８】
１      携帯型撹拌機
２      回転軸
２ａ    円柱シャンク部
３      回転軸
３ａ    六角シャンク部
４      撹拌翼
５      撹拌翼
７      回転部
９      蓄電池
１０    電動モータ部
１１    直流モータ
１２    ケーシング
１３    把持部
１４    減速機
１５    出力軸
１６    スイッチ
１７    チャック
１８    スリーブ
１９    クラッチダイヤル
２０    電動モータ部
２７    チャック
２８    スリーブ
【図１】
0003192356.tif 000003
【図２】
0003192356.tif 000004
【図３】
0003192356.tif 000005
【図４】
0003192356.tif 000006
【図５】
0003192356.tif 000007